(57)【要約】【課題】一つの容器に贈答品とカタログを効率的に配置して、カタログを取り出し易く且つ贈答品を安全に詰合わせ得るようにした慶事用引出物を提供する。【解決手段】慶事用引出物１は、底板７と周囲を囲う側板８ａ〜８ｄとを有する上面開口状の容器本体２と、天板１０と周囲を囲う蓋側板１１ａ〜１１ｄとを有し容器本体２の上面に開閉自在に被さる蓋体３と、容器本体２の対向する一対の側板８ａ，８ｃの内面沿いに設けられた一対の台部材４，４と、一対の台部材４，４の間に納められた贈答品５と、容器本体２の上面開口にほぼ整合する形状であって台部材４，４上に両端支持梁状態に載置されるカタログ６とを備え、台部材４は、その高さが容器本体２の上面開口縁より若干低く設定され、カタログ６は、台部材４，４上に載置した状態で容器本体２の上面開口より上に突出して蓋体３内に臨む厚さに設定されていることを特徴とする。【選択図】        図３
0003177063.tif 000002
【実用新案登録請求の範囲】
【請求項１】
底板と、周囲を囲う側板とを有する上面開口状の容器本体と、
天板と、周囲を囲う蓋側板とを有し前記容器本体の上面に開閉自在に被さる蓋体と、
前記容器本体の対向する一対の側板の内面沿いに設けられた少なくとも一対の台部材と、
前記一対の台部材の間に納められた贈答品と、
前記容器本体の上面開口にほぼ整合する形状であって前記台部材上に両端支持梁状態に載置されるカタログと、を備え、
前記台部材は、その高さが前記容器本体の上面開口縁より若干低く設定され、
前記カタログは、前記台部材上に載置した状態で前記容器本体の上面開口より上に突出して前記蓋体内に臨む厚さに設定されていることを特徴とする慶事用引出物。
【請求項２】
前記台部材の上面がメッセージ等の表示欄であることを特徴とする請求項１記載の慶事用引出物。
【請求項３】
前記台部材は、横置き角筒状であることを特徴とする請求項１又は２に記載の慶事用引出物。
【請求項４】
前記容器本体と前記蓋体が木製であることを特徴とする請求項１〜３の何れか１項に記載の慶事用引出物。
【考案の詳細な説明】
【技術分野】
【０００１】
本発明は、結婚式等の慶事に際して来客に贈る慶事用引出物に関する。
【背景技術】
【０００２】
従来、注文書が綴り込まれたカタログと、実際の商品とを一つの包装箱に詰めるようにした詰め合わせ商品がある（特許文献１参照）。この詰め合わせ商品は、特許文献１の図面に記載されているように、包装箱の下にカタログがあり、その上に商品が置かれている。
【０００３】
ところで近年、慶事用の引出物として、注文書が綴り込まれたカタログを渡し、後日、来客がそのカタログの中から選択した商品を前記注文書で注文して自宅で受け取る、というシステムが定着しつつある。このシステムは、引出物が軽くなり、また、希望する商品が自宅でじっくり選べる利点があることから今後さらに増加する可能性がある。
【先行技術文献】
【特許文献】
【０００４】
【特許文献１】実願昭６３−１０２６６４号（実開平２−２３３７３号公報）
【考案の概要】
【考案が解決しようとする課題】
【０００５】
慶事用の引出物は、二品以上を贈ることが多く、前記カタログの他に引き菓子等を組み合わせる場合が殆どである。このような場合に、特許文献１の詰め合わせ商品に関する技術を利用して、例えばカタログを包装箱の下に入れ、その上に引き菓子等を入れることが考えられる。そうすることによりカタログと引き菓子を別々に包装する場合に比べて手間が掛からず、また、どちらか一方を引出物の袋に詰め忘れる、というトラブルが未然に防止できる。
しかし、カタログは比較的分厚い冊子状である場合が多く、そのようなカタログが包装箱の下にあると取り出し難い問題がある。もちろんこれを解消するには、カタログの周囲に取り出し用（指入れ用）の空間を設けて取り出し易くすれば良いのであるが、そうすると包装箱のサイズが無駄に大きくなる別の問題がある。
また、包装箱の蓋を開けたとき、中味が菓子であることが判ると、食べる直前までその菓子を箱から取り出さない場合がある。或は、中味が食品以外で消費期限等がない場合には、さらに長期間中味を箱から取り出さない場合があり、そうすると包装箱の下にあるカタログに直ぐには気付かない可能性もある。
かといって分厚いカタログを引き菓子等の上に載せると、その重量に耐え得るように引き菓子等の包装を頑丈にする必要があり、余分なコストが掛かる。
【０００６】
本考案は上記に鑑みなされたもので、その目的は、一つの容器に贈答品とカタログを効率的に配置し、そうしてカタログを取り出しやすく且つ贈答品を安全に詰め合わせ得るようにした慶事用引出物を提供することにある。
【課題を解決するための手段】
【０００７】
上記の目的を達成するため本考案は、
底板と、周囲を囲う側板とを有する上面開口状の容器本体と、
天板と、周囲を囲う蓋側板とを有し前記容器本体の上面に開閉自在に被さる蓋体と、
前記容器本体の対向する一対の側板の内面沿いに設けられた少なくとも一対の台部材と、
前記一対の台部材の間に納められた贈答品と、
前記容器本体の上面開口にほぼ整合する形状であって前記台部材上に両端支持梁状態に載置されるカタログと、を備え、
前記台部材は、その高さが前記容器本体の上面開口縁より若干低く設定され、
前記カタログは、前記台部材上に載置した状態で前記容器本体の上面開口より上に突出して前記蓋体内に臨む厚さに設定されている慶事用引出物を提供する。
【０００８】
また、請求項２に記載したように、前記台部材の上面がメッセージ等の表示欄である請求項１記載の慶事用引出物を提供する。
【０００９】
また、請求項３に記載したように、前記台部材は、横置き角筒状である請求項１又は２に記載の慶事用引出物を提供する。
【００１０】
また、請求項４に記載したように、前記容器本体と前記蓋体が木製である請求項１〜３の何れか１項に記載の慶事用引出物を提供する。
【考案の効果】
【００１１】
本考案によれば、カタログが、台部材上に載置された状態で容器本体の上面より上に突出するように厚さが設定されているため、蓋体を開けるとカタログが容器本体から飛び出た状態になっている。したがって、カタログと容器本体の間に指入れ用の隙間が無くとも簡単に取り出せる。また、カタログが台部材上に両端支持梁状態に載置されてその下のスペースに贈答品が納められているため、その贈答品が菓子等であってもカタログの重みで潰れるおそれがない。
【００１２】
また、請求項２のように台部材の上面を表示欄にしておくことで、その表示欄を使って感謝の気持ちを表現することができる。
【００１３】
また、請求項３のように台部材を横置き角筒状にすることで台部材に適度な強度と緩衝性を持たせることができる。
【００１４】
また、請求項４のように容器本体と蓋体を木製にすれば、見た目の重厚性と、内容物を保護する堅牢性とを同時に満足させることができる。
【図面の簡単な説明】
【００１５】
【図１】一部を断面にした慶事用引出物の斜視図である。
【図２】慶事用引出物の斜視図である。
【図３】慶事用引出物の分解斜視図である。
【図４】蓋体を開いた状態を示す慶事用引出物の中央縦断面図である。
【図５】台部材構成片の展開図である。
【考案を実施するための形態】
【００１６】
以下に本考案の実施の形態を図面を参照しつつ説明する。
本考案の慶事用引出物１は、図３の分解斜視図に示したように、容器本体２と、その容器本体２の上面に開閉自在に被さる蓋体３と、一対の台部材４，４と、引き菓子等の贈答品５と、カタログ６と、から構成される。
【００１７】
［容器本体］
容器本体２は、例えば桐などの木製であり、長方形の底板７と、その底板７の周囲を囲うように立設された側板８ａ〜８ｄと、を有する上面開口状の四角い木箱である。容器本体２の側板８ａ〜８ｄの上端には、内側周縁に段状の係合突部９が形成されている。
【００１８】
［蓋体］
蓋体３は、同じく桐などの木製であり、長方形の天板１０と、その天板１０の周囲を囲うように垂設された蓋側板１１ａ〜１１ｄと、から構成されており、容器本体２の上面に開閉自在な状態に被せ得る。蓋体３の蓋側板１１ａ〜１１ｄの下端には、外側周縁に段状の係合突部１２が形成されており、この係合突部１２と前記容器本体２の係合突部９が印籠嵌め状態にぴったりと嵌まり合うようになっている。なお、図示を省略したが、蓋体３の表面には、例えば「寿」のような文字や目出度さを表現する図形等が記載されている。
【００１９】
［台部材］
台部材４，４は、容器本体２の対向する一対の側板８ａ，８ｃの内面沿いにその容器本体２の開口縁より若干低い高さにして設けられている。
各台部材４，４は、それぞれが横置き角筒状であって、実施形態では図５に示した展開図のように、一枚の段ボール紙で構成される台部材構成片４０によって一連に形成されている。すなわち、台部材４，４は、前記台部材構成片４０の両端部に、図５において破線で示した各三本の山折り線４１ａ，４１ｂ，４１ｃと、一点鎖線で示した各１本の谷折り線４１ｄとを平行に形成し、この谷折り線４１ｄを谷折りすると共に各山折り線４１ａ〜４１ｃを山折りして横置き角筒状に組み立てられる。この場合、台部材４，４同士の間の台部材構成片４０は、前記贈答品５のための中敷き部材４２となる。
【００２０】
なお、図５において符合４３は、谷折り線４１ｄの中間部分を分断させて台部材４側に凸状に切り込んだ舌片であり、この舌片４３の上に角筒状に折り曲げた台部材４の先端を係合させ（図４参照）、そうして台部材４の先端が中敷き部材４２の下に潜り込まないように、つまり台部材４の角筒形態が崩れないようにしてある。
また、台部材４の前記山折り線４１ｂ，４１ｃの間が容器本体２の開口側に臨む上面になっており、実施形態ではこの上面が適宜なメッセージ等を印刷するための表示欄４４になっている。
【００２１】
［贈答品］
贈答品５は、例えば菓子や鰹節等の食料品であり、必要な包装が適宜施されている。なお、贈答品５の包装形態は、もちろん自由である。
【００２２】
［カタログ］
カタログ６は、選択可能な多数の商品が掲載されている。そして、これを貰った来客が、その商品の中から一つを選択して例えばインターネット、ファクシミリ、注文ハガキ等の指定された手段で注文すると、後日、自宅に届けられる、という公知のシステムになっている。
このカタログ６は、分厚い冊子状であり、前記容器本体２の上面開口にほぼ整合する形状であって、図４に示したように前記台部材４，４上に両端支持梁状態に載置される。前記のように台部材４，４は、その高さが容器本体２の上面開口縁より若干低く設定されているため、台部材４，４の上に載置されたカタログ６は、容器本体２の上面開口縁に嵌って面方向へのガタツキが殆どない。一方、カタログ６の厚さは、台部材４，４上に載置された状態で容器本体２の上面より上にその大部分が突出する設定になっており、したがって台部材４，４上のカタログ６は容易に取り出せる。
【００２３】
本考案の慶事用引出物１は、上記のように構成されているため、まず、容器本体２内に台部材構成片４０から組み立てた台部材４，４をセットし、その台部材４，４同士の間の中敷き部材４２の上に贈答品５を載せ、さらに台部材４，４の上面にカタログ６を載置して蓋体３を閉じるだけで、贈答品５とカタログ６をコンパクトに、しかもカタログ６が取り出しやすく且つ贈答品５を安全に詰め合わせることができる。
【００２４】
以上、本考案を実施の形態について説明したが、もちろん本考案は上記実施形態に限定されるものではない。例えば、実施形態では台部材４，４を一対の側板８ａ，８ｃ沿いに設けたが、残りの側板８ｂ，８ｄ沿いに追加するようにしてもよい。
【符号の説明】
【００２５】
１  …慶事用引出物
２  …容器本体
３  …蓋体
４，４  …台部材
４４  …表示欄
５  …贈答品
６  …カタログ
７  …底板
８ａ〜８ｄ  …側板
１０  …天板
１１ａ〜１１ｄ  …蓋側板
【図１】
0003177063.tif 000003
【図２】
0003177063.tif 000004
【図３】
0003177063.tif 000005
【図４】
0003177063.tif 000006
【図５】
0003177063.tif 000007